(57)【要約】  本明細書および図面によって、プリアンブルを送信するため、例えば、専用物理制御チャネル（ＤＰＣＣＨ）を使用する不連続制御チャネル送信用のプリアンブル（例えば電力制御プリアンブル）のプリアンブル長を定義する新しい方法、システム、装置、およびソフトウェア製品が示される。予め定められた基準を使用し、（例えばＤＰＣＣＨ上で送信される）不連続制御信号、または、例えば拡張専用チャネル（Ｅ−ＤＣＨ）上で送信される不連続データ信号における送信ギャップ長（変数でもよい）、および／または、不連続のデータの送信タイミング間隔（ＴＴＩ）の長さに従って、プリアンブル長を最適化することができる。さらに、他の予め定められた基準を使用してプリアンブルにおける電力を適時変更できる。
2009504054.tif 000002
【特許請求の範囲】
【請求項１】
データチャネル上に不連続データ信号と制御チャネル上に不連続制御信号とを提供する段階と、
予め定められた基準によってプリアンブルのプリアンブル長を定義する段階であって、前記プリアンブル長は、
ａ）前記不連続制御信号または前記不連続データ信号における送信ギャップ長、および
ｂ）前記不連続データ信号の送信タイミング間隔の長さ、のうちの少なくとも１つに依存する段階と、
前記制御チャネル上で前記プリアンブルを備えるプリアンブル信号を送信する段階と、を備える方法。
【請求項２】
前記プリアンブルは、電力制御プリアンブルであり、
前記制御チャネルは、ユーザ装置からネットワーク構成要素に前記電力制御プリアンブルを備える前記プリアンブル信号を送信するアップリンクチャネルである、請求項１に記載の方法。
【請求項３】
前記ネットワーク構成要素は、ノードＢであり、
前記ネットワーク構成要素および前記ユーザ装置は、無線通信用に構成される、請求項２に記載の方法。
【請求項４】
前記ネットワーク構成要素によって、前記ユーザ装置に前記プリアンブル長の最小値または最大値が提供される、請求項２に記載の方法。
【請求項５】
前記アップリンクチャネルは、アップリンク専用物理制御チャネルであり、
前記データチャネルは、拡張専用チャネルである、請求項２に記載の方法。
【請求項６】
前記定義する段階は、前記ネットワーク構成要素または前記ユーザ装置によって提供される、請求項２に記載の方法。
【請求項７】
前記送信ギャップ長は変数である、請求項１に記載の方法。
【請求項８】
前記プリアンブルを送信する段階の前に、
他の予め定められた基準によって前記プリアンブルのプリアンブル電力の時間への依存関係を定義する段階を備える、請求項１に記載の方法。
【請求項９】
前記定義する段階の間に、前記送信ギャップ長を予め選択された値で変更した後、前記プリアンブル長を前記予め定められた基準によって他の予め選択された値で変更する、請求項１に記載の方法。
【請求項１０】
前記送信ギャップが予め定義されたしきい値を超える場合のみ、前記プリアンブル長はゼロでない、請求項１に記載の方法。
【請求項１１】
前記制御チャネル上で前記プリアンブル信号を送信する段階は、前記データ信号の前または同時に開始される、請求項１に記載の方法。
【請求項１２】
前記プリアンブル長は、変数である、請求項１に記載の方法。
【請求項１３】
コンピュータプロセッサによって実行されるコンピュータプログラムコードを実現するコンピュータ読取可能な記憶構造を備え、
前記コンピュータプログラムコードは、ユーザ装置またはネットワーク構成要素の任意の構成要素または構成要素の組合せによって実行するよう示された、請求項１の方法を実行するための指示を備える、コンピュータプログラムプロダクト。
【請求項１４】
データチャネル上に不連続データ信号と制御チャネル上に不連続制御信号とを提供するためのアップリンクスケジューリングおよび信号生成モジュールであって、プリアンブルのプリアンブル長は、予め定められた基準によって、
ａ）前記不連続制御信号または前記不連続データ信号における送信ギャップ長、および
ｂ）前記不連続データ信号の送信タイミング間隔の長さ、のうちの少なくとも１つに依存する、アップリンクスケジューリングおよび信号生成モジュールと、
前記制御チャネル上で前記プリアンブルを備えるプリアンブル信号を送信するための受信／送信／処理モジュールと、を備えるユーザ装置。
【請求項１５】
前記送信ギャップ長は変数である、請求項１５に記載のユーザ装置。
【請求項１６】
前記プリアンブルは、電力制御プリアンブルであり、
前記制御チャネルは、前記ユーザ装置からネットワーク構成要素に前記電力制御プリアンブルを備える前記プリアンブル信号を送信するアップリンクチャネルである、請求項１５に記載のユーザ装置。
【請求項１７】
前記アップリンクチャネルは、アップリンク専用物理制御チャネルであり、
前記データチャネルは拡張専用チャネルである、請求項１７に記載のユーザ装置。
【請求項１８】
前記ネットワーク構成要素によって、前記ユーザ装置に前記プリアンブル長の最小値または最大値が提供される、請求項１７に記載のユーザ装置。
【請求項１９】
前記定義は、前記ネットワーク構成要素によって提供される、請求項１７に記載のユーザ装置。
【請求項２０】
前記アップリンクスケジューリングおよび信号生成モジュールは、前記プリアンブル長の前記定義を提供するよう構成される、請求項１５に記載のユーザ装置。
【請求項２１】
前記プリアンブルを送信する前に、他の予め定められた基準によって前記プリアンブルのプリアンブル電力の時間への依存関係を定義するよう構成される、請求項１５に記載のユーザ装置。
【請求項２２】
前記定義する間に、前記送信ギャップ長を予め選択された値で変更した後、前記プリアンブル長を前記予め定められた基準によって他の予め選択された値で変更する、請求項１５に記載のユーザ装置。
【請求項２３】
前記送信ギャップが予め定義されたしきい値を超える場合のみ、前記プリアンブル長はゼロでない、請求項１５に記載のユーザ装置。
【請求項２４】
前記制御チャネル上で前記プリアンブル信号を送信することは、前記データ信号の前または同時に開始される、請求項１５に記載のユーザ装置。
【請求項２５】
前記プリアンブル長は、変数である、請求項１５に記載のユーザ装置。
【請求項２６】
集積回路は、前記アップリンクスケジューリングおよび信号生成モジュールと前記受信／送信／処理モジュールとを備える、請求項１５に記載のユーザ装置。
【請求項２７】
データチャネル上に不連続データ信号と制御チャネル上に不連続制御信号とを提供するための信号生成手段であって、電力制御プリアンブルのプリアンブル長は、予め定められた基準によって、
ｃ）前記不連続制御信号または前記不連続データ信号における送信ギャップ長、および
ｄ）前記不連続データ信号の送信タイミング間隔の長さ、のうちの少なくとも１つに依存する、手段と、
前記制御チャネル上で前記電力制御プリアンブルを送信するための受信／送信手段と、を備えるユーザ装置。
【請求項２８】
前記信号生成手段は、前記不連続制御信号の前記スケジューリングを提供するよう構成される、請求項２９に記載のユーザ装置。
【請求項２９】
前記制御チャネルは、前記ユーザ装置からネットワーク構成要素に前記電力制御プリアンブルを送信するアップリンクチャネルである、請求項２９に記載のユーザ装置。
【請求項３０】
データチャネル上に不連続データ信号と制御チャネル上に不連続制御信号とを提供し、プリアンブルのプリアンブル長を定義するためのダウンリンクスケジューリングおよび信号生成モジュールであって、前記プリアンブル長は、予め定められた基準によって、
ａ）前記不連続制御信号または前記不連続データ信号における送信ギャップ長、および
ｂ）前記不連続データ信号の送信タイミング間隔の長さ、のうちの少なくとも１つに依存する、ダウンリンクスケジューリングおよび信号生成モジュールと、
前記制御チャネル上で前記プリアンブルを備えるプリアンブル信号を送信するための送信ブロックと、を備えるネットワーク構成要素。
【請求項３１】
前記送信ギャップ長は変数である、請求項３２に記載のネットワーク構成要素。
【請求項３２】
データチャネル上に不連続データ信号と制御チャネル上に不連続制御信号とを提供し、プリアンブルのプリアンブル長は、予め定められた基準によって、
ａ）前記不連続制御信号または前記不連続データ信号における送信ギャップ長、および
ｂ）前記不連続データ信号の送信タイミング間隔の長さ、のうちの少なくとも１つに依存し、
前記制御チャネル上で前記電力制御プリアンブルを送信するためのユーザ装置と、
前記プリアンブルを備えるプリアンブル信号に応じるネットワーク構成要素と、を備える通信システム。
【請求項３３】
前記送信ギャップ長は変数である、請求項３４に記載のシステム。
【請求項３４】
前記プリアンブルは、電力制御プリアンブルであり、
前記制御チャネルは、ユーザ装置からネットワーク構成要素に前記電力制御プリアンブルを備える前記プリアンブル信号を送信するアップリンクチャネルである、請求項３４に記載のシステム。
【請求項３５】
前記定義は、前記ネットワーク構成要素または前記ユーザ装置によって提供される、請求項３４に記載のシステム。
【請求項３６】
ａ）ユーザ装置からのアップリンク不連続制御信号のためのプリアンブルのプリアンブル長を定義するプリアンブル定義信号、
ｂ）前記プリアンブル長の最小値または最大値を備えるプリアンブル指示信号、および
ｃ）アップリンクのための前記プリアンブルにおける電力に関するフィードバック情報を備えるプリアンブルフィードバック信号、のうちの少なくとも１つを提供するためのプリアンブルブロックであって、前記プリアンブル長は、予め定められた基準によって、
ａ）前記ユーザ装置によって提供される前記アップリンク不連続制御信号またはアップリンク不連続データ信号における送信ギャップ長、および
ｂ）前記アップリンク不連続データ信号の送信タイミング間隔の長さ、のうちの少なくとも１つに依存する、プリアンブルブロックと、
前記プリアンブル定義信号、前記プリアンブル指示信号、および前記プリアンブルフィードバック信号のうちの少なくとも１つを前記ユーザ装置に送信するための送信ブロックと、
前記アップリンク不連続制御および前記アップリンク不連続データ信号を受信するための受信ブロックと、を備えるネットワーク構成要素。
【請求項３７】
前記送信ギャップ長は変数である、請求項３８に記載のネットワーク構成要素。
【発明の詳細な説明】
【技術分野】
【０００１】
関連出願への参照
本出願は、２００５年８月５日に出願された米国仮特許出願第６０／７０５，８３１号明細書に基づく優先権を主張するものである。
【０００２】
本発明は、一般に、例えば無線通信などの通信に関し、より詳細には、不連続制御チャネル送信のためのプリアンブル長の規定に関する。
【背景技術】
【０００３】
アップリンク（ユーザ装置からネットワークへの方向）において、専用チャネル（ＤＣＨ）や対応する専用物理データチャネル（ＤＰＤＣＨ）が構成されない場合、すべてのデータは、拡張専用物理データチャネル（Ｅ−ＤＰＤＣＨ）にマッピングされる拡張専用チャネル（Ｅ−ＤＣＨ）で送られる。このＥ−ＤＣＨに関連付けられる制御信号は、拡張専用物理制御チャネル（Ｅ−ＤＰＣＣＨ）で送られる。Ｅ−ＤＰＤＣＨおよびＥ−ＤＰＣＣＨは、不連続である場合があり、送信すべきデータがあり、送信がネットワークによって承認された場合のみ送信される。アップリンクにおいては、Ｅ−ＤＰＤＣＨとＥ−ＤＰＣＣＨに加えて、連続専用物理制御チャネル（ＤＰＣＣＨ）と、ＨＳ−ＤＳＣＨ（高速ダウンリンク共有チャネル）のための連続でも不連続でもありうる専用物理制御チャネル（例えば、アップリンク高速専用物理制御チャネル、ＨＳ−ＤＰＣＣＨ）と、で送られる。
【０００４】
ＥＴＳＩ標準規格、ＴＲ１０１  １１２、ＵＭＴＳ３０．０３、「Selection procedures for the choice of radio transmission technologies of the UMTS（ＵＭＴＳの無線伝送技術を選ぶための選択手順）」、バージョン３．２．０に記載されるように、１つのパケットサービスセッションには、アプリケーションによって、１つまたは数個のパケットコールが含まれる。パケットサービスセッションがＮＲＴ（非リアルタイム）無線アクセスベアラ継続期間であり、パケットコールがパケットデータ送信のアクティブ期間であるとみなすことができる。このパケットコールの間、数個のパケットを生成することがある。すなわち、パケットコールがバーストシーケンスパケットを構成することを意味する。このバースト性は、パケット伝送の特性である。
【０００５】
ネットワークへのセッションセットアップの着信は、ポアソン過程としてモデル化できる。読取時間は、ユーザがパケットコールの最後のパケットを完全に受信し終えた時、開始し、ユーザが次のパケットコールのためのリクエストをする時、終了する。読取期間中アップリンクにおけるＥ−ＤＣＨ送信は不連続であるため、読取期間の大部分は、Ｅ−ＤＣＨ送信が全く行われない。（特に）パケットの着信間隔に依存して、パケットコール中のＥ−ＤＣＨ送信においてギャップがある場合があるが、Ｅ−ＤＣＨ送信は、このパケットコール中連続している場合もあることに留意されたい。したがって、パケットコールの間も、Ｅ−ＤＣＨ上で非アクティブになるところがありうる。
【０００６】
また、ユーザ装置（ＵＥ）からネットワークへのＵＬ方向において、高速専用物理制御チャネル（ＨＳ−ＤＰＣＣＨ）上で信号を送信することができる。ＨＳ−ＤＰＣＣＨ信号は、一般に、チャネル品質通知情報（ＣＱＩ）の報告情報を持つ２つのスロットとＨＳＤＰＡのためのＡＣＫ／ＮＡＣＫ情報を持つ１つのスロットを搬送する。ＣＱＩ送信は、一般に、周期的であり、通常、ＨＳ−ＤＳＣＨ送信動作から独立している。無線ネットワーク制御装置（ＲＮＣ）は、０、２、４、８、１０、２０、４０、８０、および１６０ミリ秒の実行可能な値でＣＱＩ報告期間を制御することができる。ＡＣＫ／ＮＡＣＫは、単にＨＳ−ＤＳＣＨ上におけるパケット送信へのレスポンスとしてのみ送信される。このＨＳ−ＤＳＣＨ上のパケット送信は、Ｅ−ＤＣＨと同様に、送信するデータがある場合のみ送信され、パケットコール中の読取期間およびパケット着信時間に依存する。
【０００７】
Ｅ−ＤＣＨ送信において、不定期ＭＡＣ−ｄ（ＭＡＣはメディアアクセス制御を表す）フローのための不定期認可、定期送信のための使用認可（およびアクティブになることを許可されたハイブリッド自動再送要求（ＨＡＲＱ）処理）など、認可が必要である。定期ＭＡＣ−ｄフローの場合において、ノードＢは、いつユーザ装置（ＵＥ）が送信するのを許可するかを制御し、したがって、ノードＢは、いつＵＥがデータを送信することができるかを認識している。不定期ＭＡＣ−ｄフローに関しては、ネットワークによって、所定のＭＡＣ−ｄフローに関するＭＡＣ−ｅ  ＰＤＵ（プロトコルデータユニット）に含むことができる最大のビット数が許可される。２ｍｓのＥ−ＤＣＨ  ＴＴＩ（transmission timing interval：送信タイミング間隔）の場合には、ＲＲＣ（radio resource control：無線リソース制御）が示すＨＡＲＱプロセスの特定セットに対して、各不定期認可が適用可能である。また、ＲＲＣは、定期認可が適用可能であるＨＡＲＱプロセスセットを制限する場合がある。ＵＥにおいて、意図する送信の信頼性に必要な電力レベルで意図するビット数を送信するのに十分な送信電力を使用することができなければならない。ただし、意図する信頼性を維持するのに十分な送信電力がない場合でも、Ｅ−ＤＣＨ上でＴＴＩにおいて送信することができるビット数を規定する（ネットワークによって規定される）最小セットのための送信電力を除く。（接続のため構成されるＤＣＨがない場合のみ、Ｅ−ＤＣＨのための最小セットが存在する。）
【０００８】
ＵＬ  ＤＰＣＣＨは、レイヤ１（物理レイヤ）で生成された制御情報を搬送する。このレイヤ１の制御情報は、例えば、コヒーレント検波のためのチャネル推定をサポートする周知のパイロットビット、ＤＬ  ＤＰＣＨ（専用物理チャネル）のための送信電力制御（ＴＰＣ）、オプションのフィードバック情報（ＦＢＩ）、およびオプションの送信フォーマット組合せインジケータ（ＴＦＣＩ）で構成される。一般に、（一定の期間送信するデータがない場合でも）ＵＬ  ＤＰＣＣＨは、連続して送信されるので、各無線リンクに対して１つのＵＬ  ＤＰＣＣＨが存在する。連続送信は、一般に連続して送信される回路スイッチ型サービスに関して問題ではない。しかしながら、バーストパケットサービスに関して、連続ＤＰＣＣＨ送信は、深刻なオーバヘッドを引き起こす。
【０００９】
制御オーバヘッドを減少させることによって、アップリンクの処理能力を増大させることができる。制御オーバヘッドを減少させるための１つの実行可能な方法は、ＵＬ  ＤＰＣＣＨゲーティング（または、不連続送信）、すなわち、ＤＰＣＣＨ上における信号の送信を常時は行わないことである。
【００１０】
このゲーティングを使用する理論的な根拠として、以下が含まれる（しかし、これらに制限されない）。
・ユーザ装置（ＵＥ）の消費電力を節約するのでバッテリの寿命が長くなる。
・干渉を軽減する。
・処理能力が高くなる。
【００１１】
様々なユーザ信号と高速フェージングとの間の電力の不均衡を抑制するため、すべてのアップリンク信号に対して高速閉ループ電力制御が行われる。ノードＢは、例えば、ＵＥが送信するＤＰＣＣＨの信号対干渉比（ＳＩＲ）を連続して推定して推定値を目標値と比較したり、ダウンリンクにおいて送信電力制御（ＴＰＣ）コマンドをＵＥに送信して送信電力レベルを増減したりする。この電力制御によって、変化する条件の中で様々なＵＥからの信号を必要な品質で受信することができる。
【００１２】
アップリンク送信のギャップ中、ノードＢが受信信号の品質を推定して適切なＴＰＣコマンド（ＳＩＲは非常に低いので、通常、生成されたＴＰＣコマンドによってＵＥにＵＬ送信電力を増大させるよう指示する）を決定することができないため、ＵＬ電力制御は、正常に動作されない。したがって、ギャップの後使用される送信電力を推定したり、事前に規定する必要がある。ユーザの移動または伝搬条件の変化（フェージング）が要因となって、送信ギャップが長い場合、ギャップの前に使用される電力が適切な通信を行うことを保証するのに十分でない傾向がある。このため、ＨＡＲＱの利用が増大したり、その結果ＵＬノイズが過度に増大したりする。したがって、ＵＬ電力制御やＵＬ処理能力（例えば、高速アップリンクパケットアクセスの場合のＨＳＵＰＡ）のスケジューリングがより困難になる。
【発明の開示】
【発明が解決しようとする課題】
【００１３】
プリアンブルを送信するための例えば専用物理制御チャネル（ＤＰＣＣＨ）を使用する不連続制御チャネル送信に関するプリアンブル（例えば電力制御プリアンブル）のプリアンブル長を規定するための新しい方法、システム、装置、およびソフトウェア製品を示す。プリアンブルによって、送信ギャップ後の最初の電力設定に関して要求される精度が低くなり、また、チャネル推定および同期の支援が行われる。
【課題を解決するための手段】
【００１４】
本発明の第１の形態によれば、データチャネル上に不連続データ信号と制御チャネル上に不連続制御信号とを提供する段階と、予め定められた基準によってプリアンブルのプリアンブル長を定義する段階であって、前記プリアンブル長は、ａ）前記不連続制御信号または前記不連続データ信号における送信ギャップ長、およびｂ）前記不連続データ信号の送信タイミング間隔の長さ、のうちの少なくとも１つに依存する段階と、前記制御チャネル上で前記プリアンブルを備えるプリアンブル信号を送信する段階と、を備える方法が提供される。
【００１５】
また、本発明の第１の形態によれば、前記プリアンブルは、電力制御プリアンブルでもよく、前記制御チャネルは、ユーザ装置からネットワーク構成要素に前記電力制御プリアンブルを備える前記プリアンブル信号を送信するアップリンクチャネルでもよい。さらに、前記ネットワーク構成要素は、ノードＢでもよく、前記ネットワーク構成要素および前記ユーザ装置は、無線通信用に構成されてもよい。さらにまた、前記ネットワーク構成要素によって、前記ユーザ装置に前記プリアンブル長の最小値または最大値が提供されてもよい。また、前記アップリンクチャネルは、アップリンク専用物理制御チャネルでもよく、前記データチャネルは、拡張専用チャネルでもよい。さらにまた、前記定義する段階は、前記ネットワーク構成要素または前記ユーザ装置によって提供されてもよい。
【００１６】
さらに、本発明の第１の形態によれば、前記送信ギャップ長は変数でもよい。
【００１７】
また、前記プリアンブルを送信する段階の前に、他の予め定められた基準によって前記プリアンブルのプリアンブル電力の時間への依存関係を定義する段階を備えてもよい。
【００１８】
さらにまた、本発明の第１の形態によれば、前記定義する段階の間に、前記送信ギャップ長を予め選択された値で変更した後、前記プリアンブル長を前記予め定められた基準によって他の予め選択された値で変更してもよい。
【００１９】
また、本発明の第１の形態によれば、前記送信ギャップが予め定義されたしきい値を超える場合のみ、前記プリアンブル長はゼロでなくてもよい。
【００２０】
さらに、本発明の第１の形態によれば、前記制御チャネル上で前記プリアンブル信号を送信する段階は、前記データ信号の前または同時に開始されてもよい。
【００２１】
さらにまた、本発明の第１の形態によれば、前記プリアンブル長は、変数でもよい。
【００２２】
本発明の第２の形態によれば、コンピュータプロセッサによって実行されるコンピュータプログラムコードを実現するコンピュータ読取可能な記憶構造を備え、前記コンピュータプログラムコードは、ユーザ装置またはネットワーク構成要素の任意の構成要素または構成要素の組合せによって実行するよう示された、第１の形態を実行するための指示を備える、コンピュータプログラムプロダクトが提供される。
【００２３】
本発明の第３の形態によれば、データチャネル上に不連続データ信号と制御チャネル上に不連続制御信号とを提供するためのアップリンクスケジューリングおよび信号生成モジュールであって、プリアンブルのプリアンブル長は、予め定められた基準によって、ａ）前記不連続制御信号または前記不連続データ信号における送信ギャップ長、およびｂ）前記不連続データ信号の送信タイミング間隔の長さ、のうちの少なくとも１つに依存する、アップリンクスケジューリングおよび信号生成モジュールと、前記制御チャネル上で前記プリアンブルを備えるプリアンブル信号を送信するための受信／送信／処理モジュールと、を備えるユーザ装置が提供される。
【００２４】
また、本発明の第３の形態によれば、前記送信ギャップ長は変数でもよい。
【００２５】
さらに、本発明の第３の形態によれば、前記プリアンブルは、電力制御プリアンブルでもよく、前記制御チャネルは、前記ユーザ装置からネットワーク構成要素に前記電力制御プリアンブルを備える前記プリアンブル信号を送信するアップリンクチャネルでもよい。また、前記アップリンクチャネルは、アップリンク専用物理制御チャネルでもよく、前記データチャネルは拡張専用チャネルでもよい。さらに、前記ネットワーク構成要素によって、前記ユーザ装置に前記プリアンブル長の最小値または最大値が提供されてもよい。さらにまた、前記定義は、前記ネットワーク構成要素によって提供されてもよい。
【００２６】
また、本発明の第３の形態によれば、前記アップリンクスケジューリングおよび信号生成モジュールは、前記プリアンブル長の前記定義を提供するよう構成されてもよい。
【００２７】
さらに、本発明の第３の形態によれば、前記プリアンブルを送信する前に、他の予め定められた基準によって前記プリアンブルのプリアンブル電力の時間への依存関係を定義するよう構成されてもよい。
【００２８】
さらにまた、本発明の第３の形態によれば、前記定義する間に、前記送信ギャップ長を予め選択された値で変更した後、前記プリアンブル長を前記予め定められた基準によって他の予め選択された値で変更してもよい。
【００２９】
また、本発明の第３の形態によれば、前記送信ギャップが予め定義されたしきい値を超える場合のみ、前記プリアンブル長はゼロでなくてもよい。
【００３０】
さらに、本発明の第３の形態によれば、前記制御チャネル上で前記プリアンブル信号を送信することは、前記データ信号の前または同時に開始されてもよい。
【００３１】
さらにまた、本発明の第３の形態によれば、前記プリアンブル長は、変数でもよい。
【００３２】
さらにまた、本発明の第３の形態によれば、集積回路は前記アップリンクスケジューリングおよび信号生成モジュールと前記受信／送信／処理モジュールとを備えてもよい。
【００３３】
本発明の第４の形態によれば、データチャネル上に不連続データ信号と制御チャネル上に不連続制御信号とを提供するための信号生成手段であって、電力制御プリアンブルのプリアンブル長は、予め定められた基準によって、ａ）前記不連続制御信号または前記不連続データ信号における送信ギャップ長、およびｂ）前記不連続データ信号の送信タイミング間隔の長さ、のうちの少なくとも１つに依存する、手段と、前記制御チャネル上で前記電力制御プリアンブルを送信するための受信／送信手段と、を備えるユーザ装置が提供される。
【００３４】
本発明の第４の形態によれば、前記信号生成手段は、前記不連続制御信号の前記スケジューリングを提供するよう構成されてもよい。
【００３５】
また、本発明の第４の形態によれば、前記制御チャネルは、前記ユーザ装置からネットワーク構成要素に前記電力制御プリアンブルを送信するアップリンクチャネルでもよい。
【００３６】
本発明の第５の形態によれば、データチャネル上に不連続データ信号と制御チャネル上に不連続制御信号とを提供し、プリアンブルのプリアンブル長を定義するためのダウンリンクスケジューリングおよび信号生成モジュールであって、前記プリアンブル長は、予め定められた基準によって、ａ）前記不連続制御信号または前記不連続データ信号における送信ギャップ長、およびｂ）前記不連続データ信号の送信タイミング間隔の長さ、のうちの少なくとも１つに依存するダウンリンクスケジューリングおよび信号生成モジュールと、前記制御チャネル上で前記プリアンブルを備えるプリアンブル信号を送信するための送信ブロックと、を備えるネットワーク構成要素が提供される。
【００３７】
また、本発明の第５の形態によれば、前記送信ギャップ長は変数でもよい。
【００３８】
本発明の第６の形態によれば、データチャネル上に不連続データ信号と制御チャネル上に不連続制御信号とを提供し、プリアンブルのプリアンブル長は、予め定められた基準によって、ａ）前記不連続制御信号または前記不連続データ信号における送信ギャップ長、およびｂ）前記不連続データ信号の送信タイミング間隔の長さ、のうちの少なくとも１つに依存し、前記制御チャネル上で前記電力制御プリアンブルを送信するためのユーザ装置と、前記プリアンブルを備えるプリアンブル信号に応じるネットワーク構成要素と、を備える通信システムが提供される。
【００３９】
また、本発明の第６の形態によれば、前記送信ギャップ長は変数でもよい。
【００４０】
さらに、本発明の第６の形態によれば、前記プリアンブルは、電力制御プリアンブルでもよく、前記制御チャネルは、ユーザ装置からネットワーク構成要素に前記電力制御プリアンブルを備える前記プリアンブル信号を送信するアップリンクチャネルでもよい。
【００４１】
さらにまた、本発明の第６の形態によれば、前記定義は、前記ネットワーク構成要素または前記ユーザ装置によって提供されてもよい。
【００４２】
本発明の第７の形態によれば、ａ）ユーザ装置からのアップリンク不連続制御信号のためのプリアンブルのプリアンブル長を定義するプリアンブル定義信号、ｂ）前記プリアンブル長の最小値または最大値を備えるプリアンブル指示信号、およびｃ）アップリンクのための前記プリアンブルにおける電力に関するフィードバック情報を備えるプリアンブルフィードバック信号、のうちの少なくとも１つを提供するためのプリアンブルブロックであって、前記プリアンブル長は、予め定められた基準によって、ａ）前記ユーザ装置によって提供される前記アップリンク不連続制御信号またはアップリンク不連続データ信号における送信ギャップ長、およびｂ）前記アップリンク不連続データ信号の送信タイミング間隔の長さ、のうちの少なくとも１つに依存する、プリアンブルブロックと、前記プリアンブル定義信号、前記プリアンブル指示信号、および前記プリアンブルフィードバック信号のうちの少なくとも１つを前記ユーザ装置に送信するための送信ブロックと、前記アップリンク不連続制御および前記アップリンク不連続データ信号を受信するための受信ブロックと、を備えるネットワーク構成要素が提供される。
【００４３】
また、本発明の第７の形態によれば、前記送信ギャップ長は変数でもよい。
【発明を実施するための最良の形態】
【００４４】
本発明の一実施例によれば、予め定められた基準を使用することによって、不連続制御チャネル（例えば、ＤＰＣＣＨ）上で送信される不連続制御信号（例えば、ＤＰＣＣＨ信号）、または、例えば拡張専用チャネル（Ｅ−ＤＣＨ）などのデータチャネル上で送信される不連続データ信号における送信ギャップ長（例えば、変数でもよい）、ならびに／あるいは、不連続データ信号の送信タイミング間隔（ＴＴＩ）の長さに従って、プリアンブル長を最適化できる。さらに、他の予め定められた基準によって、電力制御プリアンブル（または、プリアンブル）における電力を適時変更できる。
【００４５】
また、本発明の一実施例によれば、ネットワーク構成要素（例えば、ＲＮＣ）によって、例えば０スロットから３０スロットまでなど、プリアンブル長の範囲を設定できる。この範囲内で、ＤＰＣＣＨ送信ギャップ長やＥ−ＤＣＨ  ＴＴＩ長に従ってプリアンブル長を変更できる。例えば、送信ギャップ長がより短い場合はプリアンブル長もより短く、ＴＴＩ長がより長い場合はプリアンブル長をより短くする（例えば、２ｍｓのＥ−ＤＣＨ  ＴＴＩに対して同じ長さのプリアンブルが必要とされる場合があり、この場合１０ｍｓのＥ−ＤＣＨ  ＴＴＩに対してより短い送信ギャップが使用されることがある）。
【００４６】
さらに、本発明の一実施例によれば、ネットワークからのフィードバックがあるかないかにかかわらず、例えば、ユーザ装置（ＵＥ）によって、前記予め定められた基準を使用してプリアンブル長を規定することができる（例えば、３ＧＰＰ  ＴＳ２５．２１４における電力制御プリアンブルは、フィードバックを伴わずに規定され、３ＧＰＰ  ＴＳ２５．２１１および３ＧＰＰ  ＴＳ２５．２１４におけるＰＲＡＣＨ（physical random access channel：物理ランダムアクセスチャネル）プリアンブルは、フィードバックを伴って規定される）。プリアンブルがフィードバックを伴って使用される場合（例えば、パワーランピングタイプのプリアンブル）、ネットワーク構成要素（例えばノードＢ）からのプリアンブル終了フィードバックなしで、最大プリアンブル長の経過後にＥ−ＤＣＨ送信を開始することができるが、この最大プリアンブル長は変動してもよい。最小のプリアンブルによって、ＤＬ  ＴＰＣ（送信電力制御）エラーが防止されるが、最小プリアンブル長は、変動する必要がないこともある。
【００４７】
本発明の他の実施例によれば、プリアンブル電力の時間への依存関係には、以下を含む（しかし、これらに限定されない）他の予め定められた基準を使用して規定されることもある。すなわち、電力刻み幅を使用するが、ネットワーク構成要素（例えば、ノードＢ）からフィードバックを受信するまでより高い電力制御刻み幅を使用する、パワーランピングを含む基準である。
【００４８】
上記の予め定められた基準によれば、プリアンブル長を規定するための規則とは、例えば、送信ギャップが２倍になるとプリアンブル長を２倍にしたり、送信ギャップが予め選択された値（例えば、予め選択されたスロット数）に変更された後、プリアンブル長を他の予め選択された値（例えば、他の予め選択されたスロット数）に増やしたり、または、Ｅ−ＤＣＨが長い期間非アクティブである間にプリアンブル長をギャップごとに予め選択された値に増やしたりする場合がある。また、（上記で規定されたプリアンブル長の最大値を含む）プリアンブル長を規定するための規則は、ＴＴＩ長の関数として多様な同様の依存関係を有する場合がある。
【００４９】
本発明の他の実施例によれば、プリアンブルを規定するための予め定められた基準および他の予め定められた基準には、以下が含まれる（しかし、これらに限定されない）。
・Ｅ−ＤＣＨまたはＨＳ−ＤＰＣＣＨ送信を使用せずにＤＰＣＣＨチャネルのみでプリアンブルを送信すること。
・プリアンブル（例えば、パイロット専用）、および／または、電力制御動作（例えば、ノードＢからフィードバックを受信するまでの間、送信ギャップ前より大きい刻み幅でおよび／または低い電力レベルから開始する）に対して、異なるチャネル構造を有すること。
・フィードバックの規定によってプリアンブル電力制御動作を停止する場合、送信ギャップの後、Ｅ−ＤＣＨまたはＨＳ−ＤＰＣＣＨ上の送信と同時にプリアンブルの一部を送信すること。
【００５０】
例えばＵＬ  ＤＰＣＣＨなどの制御チャネルに関する上記の本発明の実施例は、すべて、例えば、ＵＬにおいてチャネル推定および電力制御に使用される（例えば、パイロットおよび／または電力制御情報を搬送する）任意のＬ１制御チャネル、ならびにダウンリンク制御チャネルについても適用できることに留意されたい。また、本発明の実施例によれば、ＵＥまたはネットワーク構成要素によって、プリアンブル長の規定が行われる場合があることに留意されたい。また、本明細書に列挙された本発明の様々な実施例は、別個に使用したり、組み合わせたり、または、特定用途のために選択的に組み合わせたりすることができることに留意されたい。
【実施例】
【００５１】
図１は、数ある例の中の一例のブロック図を示す。このブロック図は、プリアンブルを送信するための、例えば、専用物理制御チャネル（ＤＰＣＣＨ）を使用する不連続制御チャネル送信のための電力制御プリアンブルのプリアンブル長の規定について示す。
【００５２】
図１の例において、ユーザ装置１０は、アップリンクスケジューリングおよび信号生成モジュール１２と送信／受信／処理モジュール１４とを備える。ユーザ装置１０が実行するプリアンブルの規定に関する各ステップは、モジュール１２によって調整されたり開始されたりする場合がある。ユーザ装置１０は、無線装置、携帯装置、移動用通信装置、移動電話などでもよい。図１の例では、ネットワーク構成要素１６（例えば、ノードＢまたは無線ネットワーク制御装置ＲＮＣ）は、送信ブロック１８と、プリアンブルブロック２０と、受信ブロック２２と、を備える。本発明の異なる実施例によれば、オプションとして、アップリンクプリアンブルに関する電力制御フィードバックおよび／または予め規定されたプリアンブル長に関する閾値をユーザ装置１０に提供したり（フィードバック信号または指示信号３４、３４ａ、および３６を参照）、または代替方法として、プリアンブル長を規定したり（信号３５、３５ａ、および３５ｂを参照）するのに、プリアンブルブロック２０を使用してもよい。
【００５３】
本発明の一実施例によれば、モジュール１２（同様のことがブロック２０に適用できる）は、ソフトウェアまたはハードウェアブロック、あるいは、これらの組合せとして実現できる。さらに、モジュール１２は、別個のブロックとして、または、ユーザ装置１０の他の任意の標準ブロックと組合せて実現してもよい。あるいは、モジュール１２を機能に従っていくつかのブロックに分割してもよい。送信／受信／処理ブロック１４は、複数の方法で実現できるが、一般に、送信機、受信機、ＣＰＵ（中央処理装置）などを備えてもよい。下記に詳細に述べるように、モジュール部１４によって、モジュール１２とネットワーク構成要素１６との通信が効果的に行われる。集積回路を使用して、ユーザ装置１０のすべてまたは選択されたモジュールを実現可能である。また、集積回路を使用して、ネットワーク構成要素１６のすべてまたは選択されたブロックおよび／またはモジュールを実現可能である。
【００５４】
本発明の実施例によれば、モジュール１２によって、データ／報告／制御／プリアンブル信号３０が提供される。この信号は、次に、ネットワーク構成要素１６の受信ブロック２２に転送される（信号３２ａ、３２ｂ、３２ｃ、および３２ｄ、ここで、信号３２ｃおよび３２ｄは共にＤＰＣＣＨで送信される）。具体的には、モジュール１２によって、不連続データ信号（例えば，Ｅ−ＤＣＨ信号３２ａ）、ならびに、情報を報告するチャネル品質通知情報（ＣＱＩ）を含むレポート信号（例えば，ＨＳ−ＤＰＣＣＨ信号３２ｂ）、および不連続制御信号（例えば，ＤＰＣＣＨ信号３２ｃ）が提供される。さらに、モジュール１２は、不連続ＤＰＣＣＨ信号３２ｃまたは不連続Ｅ−ＤＣＨ信号３２ａにおける送信ギャップ長（変数でもよい）、ならびに／あるいは、Ｅ−ＤＣＨ信号３２ａの送信タイミング間隔（ＴＴＩ）の長さに依存する予め定められた基準を使用して、プリアンブル長を最適化する（また、モジュール１２は、他の予め定められた基準を使用して電力制御プリアンブルにおける電力依存関係を最適化してもよい）。
【００５５】
また、図１は、ネットワーク構成要素１６が、受信したプリアンブル信号３２ｄ（代替方法として、ＤＰＣＣＨ信号の特別なフォーマットとして規定可能）を使用して、電力制御フィードバック（プリアンブルフィードバック信号３４）を提供することができることを示している。図１は、さらに、本発明の一実施例によって、ネットワーク構成要素１６が、（例えば、ブロック２０によって）プリアンブル長の調整を完全にまたは部分的に実行できる実施例を示している（信号３５、３５ａ、および３５ｂを参照）。プリアンブル長は、ネットワーク構成要素１６も知っている予め定められた基準および他の予め定められた基準に従って、ユーザ装置１０において規定される。
【００５６】
図１の例は、本発明の実施例によるＵＬ方向におけるプリアンブル長の規定について示す。本発明の一実施例によれば、ＤＬ方向に同じ原理を適用することができる。図２は、この配置構造を示す。ここで、ネットワーク構成要素２７のダウンリンクスケジューリングおよび信号生成モジュール２１を図１におけるモジュール１２と同様に使用することによって、予め定められた基準および他の予め定められた基準に従って、ＤＬ送信のためのプリアンブルが規定され、こうして、プリアンブル信号２３が提供される。その後、プリアンブル信号２３は、送信ブロック１８によってダウンリンク方向に送信される（プリアンブル信号２３ａ）。ＵＬの場合と同様に、オプションとして、受信ブロック２２を使用して電力フィードバック（信号２５および２５ａ）をブロック２１に提供できる。
【００５７】
本発明の様々な実施例を理解する目的のため、ネットワーク構成要素１６または２７を幅広く解釈することができ、したがって、ネットワーク構成要素１６がノードＢと無線ネットワーク制御装置（ＲＮＣ）との両方の特徴を備える場合があることに留意されたい。特に、モジュール２０または２１は、ＲＮＣ（この場合、ＲＮＣからの信号はノードＢによってユーザ装置に転送される）またはノードＢに置かれる場合がある。一方、ブロック２２は、ノードＢに置かれる。
【００５８】
図３は、本発明の実施例によるプリアンブル長の規定を示す数ある例の中の一例を示す。図３において、１スロットは２ｍｓとみなされることに留意されたい。
【００５９】
パケットシーケンス４０は、ＤＬ動作を例示するＨＳ−ＳＣＣＨ（ＨＳ−ＤＳＣＨのための高速共用制御チャネル）信号を示す（ＨＳ−ＤＳＣＨ信号は図示せず）。
【００６０】
パケットシーケンス４０は、１０ｍｓのＥ−ＤＣＨ  ＴＴＩおよび（ＨＳ−ＤＰＣＣＨチャネルで送信される）４０ｍｓのＣＱＩ報告期間に対するダイナミックプリアンブル長を例示する。送信ギャップおよびＴＴＩ長に基づき上記の予め定められた基準を使用してプリアンブル長が定義されると、プリアンブルは、長さ２ｍｓのスロット４０ａで送られる。その後、第２のＥ−ＤＣＨ信号が、スロット４０ｂ（ＴＴＩ＝１０ｍｓ）で送られる。
【００６１】
パケットシーケンス４２は、２ｍｓのＥ−ＤＣＨ  ＴＴＩおよび（ＨＳ−ＤＰＣＣＨチャネルで送信される）４０ｍｓのＣＱＩ報告期間に対するダイナミックプリアンブル長を示す。プリアンブル長およびその周波数が、送信ギャップおよび／またはＴＴＩ長に基づいて上記の予め定められた基準を使用して定義されると、プリアンブルは、それぞれの長さが２ｍｓ、４ｍｓ、および２ｍｓのスロット４２ａ、４２ｂ、および４２ｃで送られる。その後、２番目、３番目、および５番目のＥ−ＤＣＨ信号が、それぞれ、スロット４２ｄ、４２ｅ、および４２ｆ（ＴＴＩ＝２ｍｓ）で送られる。パケットシーケンス４２では、Ｅ−ＤＣＨ信号間の送信ギャップがパケットシーケンス４０と比べて短い。この事実にもかかわらず、パケットシーケンス４２において、プリアンブルをパケットシーケンス４０と比べてより頻繁に使用したりより長くしたり（例えばスロット４２ｂ）するのは、ＴＴＩ長がより短いためである。
【００６２】
パケットシーケンス４４は、再び、（パケットシーケンス４０と比較するため）１０ｍｓのＥ−ＤＣＨ  ＴＴＩおよび（ＨＳ−ＤＰＣＣＨチャネルで送信される）４０ｍｓのＣＱＩ報告期間に対するダイナミックプリアンブル長を示す。送信ギャップおよびＴＴＩ長に基づいて予め定められた基準を使用してプリアンブル長が定義されると、プリアンブルは、長さ４ｍｓのスロット４４ａで送信される。その後、第２のＥ−ＤＣＨ信号がスロット４４ｂ（ＴＴＩ＝１０ｍｓ）で送信される。パケットシーケンス４０との相違点は、パケットシーケンス４４におけるＥ−ＤＣＨ信号間の送信ギャップがより長いため、プリアンブル４４ａの長さがより長くなることである。
【００６３】
パケットシーケンス４６は、（パケットシーケンス４４と比較するため）２ｍｓのＥ−ＤＣＨ  ＴＴＩおよび（ＨＳ−ＤＰＣＣＨチャネルで送信される）４０ｍｓのＣＱＩ報告期間に対するダイナミックプリアンブル長を示す。送信ギャップおよびＴＴＩ長に基づいて上記の予め定められた基準を使用してプリアンブル長が定義されると、プリアンブルは、長さ６ｍｓのスロット４６ａで送信される。その後、第２のＥ−ＤＣＨ信号がスロット４６ｂ（ＴＴＩ＝２ｍｓ）で送信される。パケットシーケンス４４との相違点は、パケットシーケンス４６におけるＴＴＩ長がパケットシーケンス４４（例えば、スロット４４ａ）と比べて短いため、パケットシーケンス４６におけるプリアンブル長（例えば、スロット４６ａ）がより長くなることである。
【００６４】
最後に、パケットシーケンス４８は、（パケットシーケンス４６と比較するため）期間２０ｍｓのＤＰＣＣＨ制御信号４８ｃ、４８ｄ、および４８ｅを使用する、２ｍｓのＥ−ＤＣＨ  ＴＴＩおよび（ＨＳ−ＤＰＣＣＨチャネルで送信される）４０ｍｓのＣＱＩ報告期間に対するダイナミックプリアンブル長を示す。送信ギャップおよびＴＴＩ長に基づいて上記の予め定められた基準を使用してプリアンブル長が定義されると、プリアンブルは、長さ４ｍｓのスロット４８ａで送信される。その後、第２のＥ−ＤＣＨ信号がスロット４８ｂ（ＴＴＩ＝２ｍｓ）で送信される。パケットシーケンス４４との相違点は、パケットシーケンス４８におけるＤＰＣＣＨ信号の送信ギャップがパケットシーケンス４６（例えば、スロット４６ａ）と比べて短いため、パケットシーケンス４８におけるプリアンブルの長さがより短くなる（例えば、スロット４８ａ）ことである。
【００６５】
図４は、本発明の一実施例による、例えばプリアンブルを送信するためにＤＰＣＣＨを使用する不連続制御チャネル送信のための電力制御プリアンブルのプリアンブル長を定義するフローチャートの一例である。
【００６６】
図４のフローチャートは、数ある例の中の１つの実行可能な一例を示すにすぎない。図４に示される各ステップの順序は、必須ではない。したがって、一般に、様々なステップを違う順序で実行することができる。本発明の一実施例による方法では、最初のステップ５０において、ネットワーク構成要素１６は、プリアンブル長の範囲（例えば、最小値および／または最大値）をユーザ装置１０に提供する（このステップはオプションである）。次のステップ５２において、ユーザ装置１０は、不連続データ信号（例えば、Ｅ−ＤＣＨ信号）３２ａと不連続制御信号（例えば、ＤＰＣＣＨ信号）３２ｃとを提供する。次のステップ５４において、ユーザ装置１０は、（例えばアップリンクスケジューリングおよび信号生成モジュール１２によって）予め定められた基準を使用して（例えば電力制御プリアンブルの長さおよび電力の動作を定義することによって）電力制御プリアンブルを定義する。このプリアンブル長は、ＤＰＣＣＨ信号３２ｃまたはＥ−ＤＣＨ信号３２ａにおける送信ギャップと、Ｅ−ＤＣＨ信号３２ａのＴＴＩ長と、さらに上記の他の予め定められた基準と、に依存する。
【００６７】
次のステップ５６において、ユーザ装置１０は、Ｅ−ＤＣＨ信号３２ａより前またはこれと同時に、プリアンブル信号３２ｄ（代替方法として、ＤＰＣＣＨ信号の特殊なフォーマットとして定義してもよい）をネットワーク構成要素１６に送信する。
【００６８】
最後に、次のステップ５８において、ネットワーク構成要素１６は、電力調整または電力停止制御プリアンブルに関するフィードバック（信号３４、３４ａ、および３６）をユーザ装置１０に提供する（このステップはオプションである）。
【００６９】
上記のように、本発明は、本方法の各ステップを実行するための機能を提供する様々なモジュールで構成される方法および対応する装置の両方を提供する。各モジュールは、ハードウェアとして実現可能であり、または、コンピュータプロセッサによって実行されるソフトウェアまたはファームウェアとして実現可能である。特に、本発明は、ファームウェアまたはソフトウェアの場合、コンピュータプロセッサで実行するためのコンピュータプログラムコード（すなわち、ソフトウェアまたはファームウェア）を具現するコンピュータで読み取り可能な記憶構造を含むコンピュータプログラムプロダクトとして提供可能である。
【００７０】
上記の配置構造は、本発明の基本原則の応用例を示しているにすぎないことを理解されたい。当業者であれば、本発明の範囲を逸脱せずに、多様な変更と代替の配置構造を考案することができるであろう。添付の請求項によって、これらの変更や配置構造を含むよう意図している。
【図面の簡単な説明】
【００７１】
【図１】本発明の一実施例による、プリアンブルを送信するための例えば専用物理制御チャネル（ＤＰＣＣＨ）を使用する不連続制御チャネル送信に関する電力制御プリアンブルのプリアンブル長の規定を示すブロック図である。
【図２】本発明の一実施例による、ＤＬにおけるプリアンブル長の規定を示すブロック図である。
【図３】本発明の一実施例による、電力制御プリアンブルのプリアンブル長を規定する例を示す図である。
【図４】本発明の一実施例による、プリアンブルを送信するための例えば専用物理制御チャネル（ＤＰＣＣＨ）を使用する不連続制御チャネル送信に関する電力制御プリアンブルのプリアンブル長の規定を例示するフローチャートである。
【図１】
2009504054.tif 000003
【図２】
2009504054.tif 000004
【図３】
2009504054.tif 000005
【図４】
2009504054.tif 000006
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
データチャネル上に不連続データ信号と制御チャネル上に不連続制御信号とを提供する段階と、
予め定められた基準によってプリアンブルのプリアンブル長を定義する段階であって、前記プリアンブル長は、
前記不連続制御信号または前記不連続データ信号における送信ギャップ長、および
前記不連続データ信号の送信タイミング間隔の長さ、のうちの少なくとも１つに依存する段階と、
前記制御チャネル上で前記プリアンブルを備えるプリアンブル信号を送信する段階と、を備える方法。
【請求項２】
前記プリアンブルは、電力制御プリアンブルであり、
前記制御チャネルは、ユーザ装置からネットワーク構成要素に前記電力制御プリアンブルを備える前記プリアンブル信号を送信するアップリンクチャネルである、請求項１に記載の方法。
【請求項３】
前記ネットワーク構成要素は、ノードＢであり、
前記ネットワーク構成要素および前記ユーザ装置は、無線通信用に構成される、請求項２に記載の方法。
【請求項４】
前記ネットワーク構成要素によって、前記ユーザ装置に前記プリアンブル長の最小値または最大値が提供される、請求項２に記載の方法。
【請求項５】
前記制御チャネルは、アップリンク専用物理制御チャネルであり、
前記データチャネルは、拡張専用チャネルである、請求項２に記載の方法。
【請求項６】
前記定義する段階は、前記ネットワーク構成要素または前記ユーザ装置によって提供される、請求項２に記載の方法。
【請求項７】
前記送信ギャップ長は変数である、請求項１に記載の方法。
【請求項８】
前記プリアンブルを送信する段階の前に、
他の予め定められた基準によって前記プリアンブルのプリアンブル電力の時間への依存関係を定義する段階を備える、請求項１に記載の方法。
【請求項９】
前記定義する段階の間に、前記送信ギャップ長を予め選択された値で変更した後、前記プリアンブル長を前記予め定められた基準によって他の予め選択された値で変更する、請求項１に記載の方法。
【請求項１０】
前記送信ギャップが予め定義されたしきい値を超える場合のみ、前記プリアンブル長はゼロでない、請求項１に記載の方法。
【請求項１１】
前記制御チャネル上で前記プリアンブル信号を送信する段階は、前記データ信号の前または同時に開始される、請求項１に記載の方法。
【請求項１２】
前記プリアンブル長は、変数である、請求項１に記載の方法。
【請求項１３】
コンピュータプロセッサによって実行されるコンピュータプログラムコードを実現するコンピュータ読取可能な記憶構造を備え、
前記コンピュータプログラムコードは、請求項１の方法を実行するための指示を備える、コンピュータプログラムプロダクト。
【請求項１４】
データチャネル上に不連続データ信号と制御チャネル上に不連続制御信号とを提供するよう構成されるアップリンクスケジューリングおよび信号生成モジュールであって、プリアンブルのプリアンブル長は、予め定められた基準によって、
前記不連続制御信号または前記不連続データ信号における送信ギャップ長、および
前記不連続データ信号の送信タイミング間隔の長さ、のうちの少なくとも１つに依存する、アップリンクスケジューリングおよび信号生成モジュールと、
前記制御チャネル上で前記プリアンブルを備えるプリアンブル信号を送信するよう構成される受信／送信／処理モジュールと、を備えるユーザ装置。
【請求項１５】
前記送信ギャップ長は変数である、請求項１４に記載のユーザ装置。
【請求項１６】
前記プリアンブルは、電力制御プリアンブルであり、
前記制御チャネルは、前記ユーザ装置からネットワーク構成要素に前記電力制御プリアンブルを備える前記プリアンブル信号を送信するアップリンクチャネルである、請求項１４に記載のユーザ装置。
【請求項１７】
前記制御チャネルは、アップリンク専用物理制御チャネルであり、
前記データチャネルは拡張専用チャネルである、請求項１６に記載のユーザ装置。
【請求項１８】
前記ネットワーク構成要素によって、前記ユーザ装置に前記プリアンブル長の最小値または最大値が提供される、請求項１６に記載のユーザ装置。
【請求項１９】
前記プリアンブルの定義は、前記ネットワーク構成要素によって提供される、請求項１６に記載のユーザ装置。
【請求項２０】
前記アップリンクスケジューリングおよび信号生成モジュールは、前記プリアンブル長を定義するよう構成される、請求項１４に記載のユーザ装置。
【請求項２１】
前記プリアンブルを送信する前に、他の予め定められた基準によって前記プリアンブルのプリアンブル電力の時間への依存関係を定義するよう構成される、請求項１４に記載のユーザ装置。
【請求項２２】
前記送信ギャップ長を予め選択された値で変更した後、前記プリアンブル長を前記予め定められた基準によって他の予め選択された値で変更する、請求項１４に記載のユーザ装置。
【請求項２３】
前記送信ギャップが予め定義されたしきい値を超える場合のみ、前記プリアンブル長はゼロでない、請求項１４に記載のユーザ装置。
【請求項２４】
前記制御チャネル上で前記プリアンブル信号を送信することは、前記データ信号の前または同時に開始される、請求項１４に記載のユーザ装置。
【請求項２５】
前記プリアンブル長は、変数である、請求項１４に記載のユーザ装置。
【請求項２６】
集積回路は、前記アップリンクスケジューリングおよび信号生成モジュールと前記受信／送信／処理モジュールとを備える、請求項１４に記載のユーザ装置。
【請求項２７】
データチャネル上に不連続データ信号と制御チャネル上に不連続制御信号とを提供するための信号生成手段であって、電力制御プリアンブルのプリアンブル長は、予め定められた基準によって、
前記不連続制御信号または前記不連続データ信号における送信ギャップ長、および
前記不連続データ信号の送信タイミング間隔の長さ、のうちの少なくとも１つに依存する、信号生成手段と、
前記制御チャネル上で前記電力制御プリアンブルを送信するための受信／送信手段と、を備えるユーザ装置。
【請求項２８】
前記信号生成手段は、前記不連続制御信号のスケジューリングを提供するよう構成される、請求項２７に記載のユーザ装置。
【請求項２９】
前記制御チャネルは、前記ユーザ装置からネットワーク構成要素に前記電力制御プリアンブルを送信するアップリンクチャネルである、請求項２７に記載のユーザ装置。
【請求項３０】
データチャネル上に不連続データ信号と制御チャネル上に不連続制御信号とを提供し、プリアンブルのプリアンブル長を定義するよう構成されるダウンリンクスケジューリングおよび信号生成モジュールであって、前記プリアンブル長は、予め定められた基準によって、
前記不連続制御信号または前記不連続データ信号における送信ギャップ長、および
前記不連続データ信号の送信タイミング間隔の長さ、のうちの少なくとも１つに依存する、ダウンリンクスケジューリングおよび信号生成モジュールと、
前記制御チャネル上で前記プリアンブルを備えるプリアンブル信号を送信するよう構成される送信ブロックと、を備えるネットワーク構成要素。
【請求項３１】
前記送信ギャップ長は変数である、請求項３０に記載のネットワーク構成要素。
【請求項３２】
データチャネル上に不連続データ信号と制御チャネル上に不連続制御信号とを提供し、プリアンブルのプリアンブル長は、予め定められた基準によって、
前記不連続制御信号または前記不連続データ信号における送信ギャップ長、および
前記不連続データ信号の送信タイミング間隔の長さ、のうちの少なくとも１つに依存し、
前記制御チャネル上で前記プリアンブルを送信するよう構成されるユーザ装置と、
前記プリアンブルを備えるプリアンブル信号に応じるネットワーク構成要素と、を備える通信システム。
【請求項３３】
前記送信ギャップ長は変数である、請求項３２に記載のシステム。
【請求項３４】
前記プリアンブルは、電力制御プリアンブルであり、
前記制御チャネルは、ユーザ装置からネットワーク構成要素に前記電力制御プリアンブルを備える前記プリアンブル信号を送信するアップリンクチャネルである、請求項３２に記載のシステム。
【請求項３５】
前記プリアンブル長の定義は、前記ネットワーク構成要素または前記ユーザ装置によって提供される、請求項３２に記載のシステム。
【請求項３６】
ユーザ装置からのアップリンク不連続制御信号のためのプリアンブルのプリアンブル長を定義するプリアンブル定義信号、
前記プリアンブル長の最小値または最大値を備えるプリアンブル指示信号、および
アップリンクのための前記プリアンブルにおける電力に関するフィードバック情報を備えるプリアンブルフィードバック信号、のうちの少なくとも１つを提供するよう構成されるプリアンブルブロックであって、前記プリアンブル長は、予め定められた基準によって、
前記ユーザ装置によって提供される前記アップリンク不連続制御信号またはアップリンク不連続データ信号における送信ギャップ長、および
前記アップリンク不連続データ信号の送信タイミング間隔の長さ、のうちの少なくとも１つに依存する、プリアンブルブロックと、
前記プリアンブル定義信号、前記プリアンブル指示信号、および前記プリアンブルフィードバック信号のうちの少なくとも１つを前記ユーザ装置に送信するよう構成される送信ブロックと、
前記アップリンク不連続制御信号および前記アップリンク不連続データ信号を受信するよう構成される受信ブロックと、を備えるネットワーク構成要素。
【請求項３７】
前記送信ギャップ長は変数である、請求項３６に記載のネットワーク構成要素。
【手続補正２】
【補正対象書類名】明細書
【補正対象項目名】００１４
【補正方法】変更
【補正の内容】
【００１４】
本発明の第１の形態によれば、データチャネル上に不連続データ信号と制御チャネル上に不連続制御信号とを提供する段階と、予め定められた基準によってプリアンブルのプリアンブル長を定義する段階であって、前記プリアンブル長は、前記不連続制御信号または前記不連続データ信号における送信ギャップ長、および前記不連続データ信号の送信タイミング間隔の長さ、のうちの少なくとも１つに依存する段階と、前記制御チャネル上で前記プリアンブルを備えるプリアンブル信号を送信する段階と、を備える方法が提供される。
【手続補正３】
【補正対象書類名】明細書
【補正対象項目名】００１５
【補正方法】変更
【補正の内容】
【００１５】
また、本発明の第１の形態によれば、前記プリアンブルは、電力制御プリアンブルでもよく、前記制御チャネルは、ユーザ装置からネットワーク構成要素に前記電力制御プリアンブルを備える前記プリアンブル信号を送信するアップリンクチャネルでもよい。さらに、前記ネットワーク構成要素は、ノードＢでもよく、前記ネットワーク構成要素および前記ユーザ装置は、無線通信用に構成されてもよい。さらにまた、前記ネットワーク構成要素によって、前記ユーザ装置に前記プリアンブル長の最小値または最大値が提供されてもよい。また、前記制御チャネルは、アップリンク専用物理制御チャネルでもよく、前記データチャネルは、拡張専用チャネルでもよい。さらにまた、前記定義する段階は、前記ネットワーク構成要素または前記ユーザ装置によって提供されてもよい。
【手続補正４】
【補正対象書類名】明細書
【補正対象項目名】００２２
【補正方法】変更
【補正の内容】
【００２２】
本発明の第２の形態によれば、コンピュータプロセッサによって実行されるコンピュータプログラムコードを実現するコンピュータ読取可能な記憶構造を備え、前記コンピュータプログラムコードは、第１の形態を実行するための指示を備える、コンピュータプログラムプロダクトが提供される。
【手続補正５】
【補正対象書類名】明細書
【補正対象項目名】００２３
【補正方法】変更
【補正の内容】
【００２３】
本発明の第３の形態によれば、データチャネル上に不連続データ信号と制御チャネル上に不連続制御信号とを提供するよう構成されるアップリンクスケジューリングおよび信号生成モジュールであって、プリアンブルのプリアンブル長は、予め定められた基準によって、前記不連続制御信号または前記不連続データ信号における送信ギャップ長、および前記不連続データ信号の送信タイミング間隔の長さ、のうちの少なくとも１つに依存する、アップリンクスケジューリングおよび信号生成モジュールと、前記制御チャネル上で前記プリアンブルを備えるプリアンブル信号を送信するよう構成される受信／送信／処理モジュールと、を備えるユーザ装置が提供される。
【手続補正６】
【補正対象書類名】明細書
【補正対象項目名】００２５
【補正方法】変更
【補正の内容】
【００２５】
さらに、本発明の第３の形態によれば、前記プリアンブルは、電力制御プリアンブルでもよく、前記制御チャネルは、前記ユーザ装置からネットワーク構成要素に前記電力制御プリアンブルを備える前記プリアンブル信号を送信するアップリンクチャネルでもよい。また、前記制御チャネルは、アップリンク専用物理制御チャネルでもよく、前記データチャネルは拡張専用チャネルでもよい。さらに、前記ネットワーク構成要素によって、前記ユーザ装置に前記プリアンブル長の最小値または最大値が提供されてもよい。さらにまた、前記プリアンブルの定義は、前記ネットワーク構成要素によって提供されてもよい。
【手続補正７】
【補正対象書類名】明細書
【補正対象項目名】００２６
【補正方法】変更
【補正の内容】
【００２６】
また、本発明の第３の形態によれば、前記アップリンクスケジューリングおよび信号生成モジュールは、前記プリアンブル長を定義するよう構成されてもよい。
【手続補正８】
【補正対象書類名】明細書
【補正対象項目名】００２８
【補正方法】変更
【補正の内容】
【００２８】
さらにまた、本発明の第３の形態によれば、前記送信ギャップ長を予め選択された値で変更した後、前記プリアンブル長を前記予め定められた基準によって他の予め選択された値で変更してもよい。
【手続補正９】
【補正対象書類名】明細書
【補正対象項目名】００３３
【補正方法】変更
【補正の内容】
【００３３】
本発明の第４の形態によれば、データチャネル上に不連続データ信号と制御チャネル上に不連続制御信号とを提供するための信号生成手段であって、電力制御プリアンブルのプリアンブル長は、予め定められた基準によって、前記不連続制御信号または前記不連続データ信号における送信ギャップ長、および前記不連続データ信号の送信タイミング間隔の長さ、のうちの少なくとも１つに依存する、信号生成手段と、前記制御チャネル上で前記電力制御プリアンブルを送信するための受信／送信手段と、を備えるユーザ装置が提供される。
【手続補正１０】
【補正対象書類名】明細書
【補正対象項目名】００３４
【補正方法】変更
【補正の内容】
【００３４】
本発明の第４の形態によれば、前記信号生成手段は、前記不連続制御信号のスケジューリングを提供するよう構成されてもよい。
【手続補正１１】
【補正対象書類名】明細書
【補正対象項目名】００３６
【補正方法】変更
【補正の内容】
【００３６】
本発明の第５の形態によれば、データチャネル上に不連続データ信号と制御チャネル上に不連続制御信号とを提供し、プリアンブルのプリアンブル長を定義するよう構成されるダウンリンクスケジューリングおよび信号生成モジュールであって、前記プリアンブル長は、予め定められた基準によって、前記不連続制御信号または前記不連続データ信号における送信ギャップ長、および前記不連続データ信号の送信タイミング間隔の長さ、のうちの少なくとも１つに依存するダウンリンクスケジューリングおよび信号生成モジュールと、前記制御チャネル上で前記プリアンブルを備えるプリアンブル信号を送信するよう構成される送信ブロックと、を備えるネットワーク構成要素が提供される。
【手続補正１２】
【補正対象書類名】明細書
【補正対象項目名】００３８
【補正方法】変更
【補正の内容】
【００３８】
本発明の第６の形態によれば、データチャネル上に不連続データ信号と制御チャネル上に不連続制御信号とを提供し、プリアンブルのプリアンブル長は、予め定められた基準によって、前記不連続制御信号または前記不連続データ信号における送信ギャップ長、および前記不連続データ信号の送信タイミング間隔の長さ、のうちの少なくとも１つに依存し、前記制御チャネル上で前記プリアンブルを送信するよう構成されるユーザ装置と、前記プリアンブルを備えるプリアンブル信号に応じるネットワーク構成要素と、を備える通信システムが提供される。
【手続補正１３】
【補正対象書類名】明細書
【補正対象項目名】００４１
【補正方法】変更
【補正の内容】
【００４１】
さらにまた、本発明の第６の形態によれば、前記プリアンブル長の定義は、前記ネットワーク構成要素または前記ユーザ装置によって提供されてもよい。
【手続補正１４】
【補正対象書類名】明細書
【補正対象項目名】００４２
【補正方法】変更
【補正の内容】
【００４２】
本発明の第７の形態によれば、ユーザ装置からのアップリンク不連続制御信号のためのプリアンブルのプリアンブル長を定義するプリアンブル定義信号、前記プリアンブル長の最小値または最大値を備えるプリアンブル指示信号、およびアップリンクのための前記プリアンブルにおける電力に関するフィードバック情報を備えるプリアンブルフィードバック信号、のうちの少なくとも１つを提供するよう構成されるプリアンブルブロックであって、前記プリアンブル長は、予め定められた基準によって、前記ユーザ装置によって提供される前記アップリンク不連続制御信号またはアップリンク不連続データ信号における送信ギャップ長、および前記アップリンク不連続データ信号の送信タイミング間隔の長さ、のうちの少なくとも１つに依存する、プリアンブルブロックと、前記プリアンブル定義信号、前記プリアンブル指示信号、および前記プリアンブルフィードバック信号のうちの少なくとも１つを前記ユーザ装置に送信するよう構成される送信ブロックと、前記アップリンク不連続制御信号および前記アップリンク不連続データ信号を受信するよう構成される受信ブロックと、を備えるネットワーク構成要素が提供される。
【国際調査報告】
2009504054.tif 000007
2009504054.tif 000008